(57)【要約】【課題】椅子に座った状態で頭や上半身が揺れないように体を固定して安眠するための携帯枕の技術を提供する。【解決手段】空気を抜いて縮めることで略ドーナツ形状であり空気の充填により膨らむことで軸に沿って中心に貫通孔を備えた円柱形状となる気密性のビニール素材で出来た携帯枕において、軸方向の長さが４５０ｍｍ以上７５０ｍｍ以下の範囲であること、貫通孔の直径が７０ｍｍ以上９０ｍｍ以下であること及び円柱の直径が１８０ｍｍ以上２２０ｍｍ以下であることの全ての条件を満たしていることを特徴とする携帯枕。【選択図】図１
2015024108.tif 000002
【特許請求の範囲】
【請求項１】
空気を抜いて縮めることで略ドーナツ形状であり空気の充填により膨らむことで軸に沿って中心に貫通孔を備えた円柱形状となる気密性のビニール素材で出来た携帯枕において、軸方向の長さが４５０ｍｍ以上７５０ｍｍ以下の範囲であること、貫通孔の直径が７０ｍｍ以上９０ｍｍ以下であること及び円柱の直径が１８０ｍｍ以上２２０ｍｍ以下であることの全ての条件を満たしていることを特徴とする携帯枕。
【請求項２】
請求項１の携帯枕において、携帯枕が中心に貫通孔を備えた軸を同じにする複数の円柱形状の空気袋の縦列接続体であることを特徴とする携帯枕。
【請求項３】
請求項１または請求項２の特徴を備える携帯枕を長軸方向を垂直方向にしてその上面に座った姿勢で睡眠する人の顔を載せてその貫通孔に口と鼻を位置させて、前記携帯枕の下面を前記座った姿勢で睡眠する人の膝もしくは座っている椅子の上面に接するようにして使用することを特徴とする携帯枕の使用方法。
【請求項４】
請求項２の特徴を備える携帯枕の複数の空気袋のうち一部の空気袋を膨らませないことに加えて長軸方向を垂直方向にしてその上面に座った姿勢で睡眠する人の顔を載せてその貫通孔に口と鼻を位置させて、前記携帯枕の下面を前記座った姿勢で睡眠する人の膝もしくは座っている椅子の上面に接するようにして使用することを特徴とする携帯枕の使用方法。
【請求項５】
請求項１または請求項２の特徴を備える携帯枕の中空の軸部分を可動式の肘当てに差し込み、前記可動式の肘当てを収納姿勢と肘当てとしての所定姿勢の中間の姿勢にして、前記携帯枕に顔又は頭部を載せて睡眠することを特徴とする携帯枕の使用方法。
【請求項６】
請求項１または請求項２の特徴を備える携帯枕を使用者の前に設置されている座席背面に設置されている折畳机の上に載せて前記携帯枕の上面に顔又は頭部を載せて睡眠することを特徴とする携帯枕の使用方法。
【発明の詳細な説明】
【技術分野】
【０００１】本発明は列車や飛行機などの移動体や職場などで座った状態で仮眠するための携帯型の枕とその使用方法に関する。
【背景技術】
【０００２】従来の携帯枕には、空気で膨らました襟巻状の枕を首の回りに巻き付けるタイプのものが開発され販売されているものがある。携帯枕のうち枕本体の頭部を使用者の好みの高さで支える工夫を施した例が特許文献１に記載されている。頭部の固定方法を工夫した携帯枕のアイデアは特許文献２に記載されている。職場のデスクにうつぶせになって昼休みに仮眠するための携帯枕のアイデアが特許文献３、特許文献４、特許文献５に掲載されている。携帯枕の中でも机上において使用する枕としては特許文献６、特許文献７のアイデアが提案されている。
【先行技術文献】
【特許文献】
【０００３】
【特許文献１】特開２００９−２７３６２０号公報
【特許文献２】特開２００４−２７５５７１号公報
【特許文献３】特開２００８−２２９２９４号公報
【特許文献４】特開２００７−３７９６０号公報
【特許文献５】特開２０１１−２４４９９０号公報
【特許文献６】特開２００８−２５９７８７号公報
【特許文献７】特開２００９−２９７４８６号公報
【発明の概要】
【発明が解決しようとする課題】
【０００４】従来の携帯枕は、大きく２つのタイプに分類される。１つは首に空気枕を巻き付けるタイプである。座った状態で睡眠時に首がぐらぐらすることを防ぐ効果はあるが、上体自体が揺れて倒れてしまうことには効果がない。このため、このタイプの携帯枕を使っても上体が倒れないように意識をしていなくてはならず本当の意味での熟睡ができず睡眠の効果が十分ではないという問題を抱えている。特許文献１と特許文献２がこのタイプに属する。次に、２つめのタイプとしては、デスクに寄り掛かるタイプがある。このタイプはさらに２種類に分かれており、頭部を支える支持体の一部として自身の腕を利用するタイプと利用しないタイプとがある。特許文献３、特許文献４及び特許文献５は、腕を支持体の一部に利用するタイプに属し、特許文献６及び特許文献７が腕を利用しないタイプである。デスクに寄り掛かるタイプでは、デスクがないと使えないという問題を抱えている。デスクがあってもその上にうつぶせに寝ることが許されない場合では利用できない。このように、従来の携帯枕では、うつぶせに寝るだけの十分な広さを持つデスクがなければ上体の揺れを支えることができずに安眠が困難であった。
【課題を解決するための手段】
【０００５】本発明の携帯枕は、空気を抜いて縮めることで略ドーナツ形状であり空気の充填により膨らむことで軸に沿って中心に貫通孔を備えた円柱形状となる気密性のビニール素材で出来た携帯枕において、軸方向の長さが４５０ｍｍ以上７５０ｍｍ以下の範囲であること、貫通孔の直径が７０ｍｍ以上９０ｍｍ以下であること及び円柱の直径が１８０ｍｍ以上２２０ｍｍ以下であることの全ての条件を満たしていることを第１の特徴とし、
前記第１の特徴に加えて、携帯枕が中心に貫通孔を備えた軸を同じにする複数の円柱形状の空気袋の縦列接続体であることを第２の特徴とし、
本発明の携帯枕の使用方法は、第１または第２の特徴を備える携帯枕を長軸方向を垂直方向にしてその上面に座った姿勢で睡眠する人の顔を載せてその貫通孔に口と鼻を位置させて、前記携帯枕の下面を前記座った姿勢で睡眠する人の膝もしくは座っている椅子の上面に接するようにして使用することを第３の特徴とし、
本発明の第４の特徴の携帯枕の使用方法は、前記第１の特徴を備える携帯枕の複数の空気袋のうち一部の空気袋を膨らませないことに加えて長軸方向を垂直方向にしてその上面に座った姿勢で睡眠する人の顔を載せてその貫通孔に口と鼻を位置させて、前記携帯枕の下面を前記座った姿勢で睡眠する人の膝もしくは座っている椅子の上面に接するようにして使用することを特徴とし、
本発明の第５の特徴の携帯枕の使用方法は、前記第１または第２の特徴を備える携帯枕の中空の軸部分を可動式の肘当てに差し込み、前記可動式の肘当てを収納姿勢と肘当てとしての所定姿勢の中間の姿勢にして、前記携帯枕に顔又は頭部を載せて睡眠することを特徴とし、
本発明の第６の特徴の携帯枕の使用方法は、前記第１または第２の特徴を備える携帯枕を使用者の前に設置されている座席背面に設置されている折畳机の上に載せて前記敬愛枕の上面に顔又は頭部を載せて睡眠することを特徴とする。
【発明の効果】
【０００６】  本発明の携帯枕は、椅子に座った状態でちょっとした仮眠をとるのに最適な枕である。空気で膨らませて使用する枕であるので、使用していない時は薄くコンパクトな状態で鞄などに収納して持ち運ぶことができ、使用する時には膨らませて膝の上もしくは座っている座席部分において顔を載せる台として使用することができる。従来の携帯枕では、首に巻くタイプでは上体がぐらぐらと揺れることを防げず、机の上で使うタイプでは、机がないと使用できない問題を抱えていたが、本発明では、机がなくても顔を携帯枕で支えて快適に寝ることができる。枕の軸中心部分が空洞になっているので顔をうつぶせにして枕に押し付けても鼻と口は空洞部分で解放されて楽に息ができることも優れた点の１つである。
【図面の簡単な説明】
【０００７】
【図１】本発明の第１の実施例の使用状態を示した側面図である。
【図２】本発明の第２の実施例の使用状態を示した正面図である。
【図３】本発明の第４の実施例の使用状態を示した側面図である。
【図４】本発明の第４の実施例の使用状態を示した正面図である。
【図５】本発明の第５の実施例の使用状態を示した側面図である。
【図６】本発明の第６の実施例の使用状態を示した側面図である。
【発明を実施するための形態】
【０００８】
【実施例】
【０００９】  本発明の第１の実施例を図１に示す。本発明の携帯枕１を空気で膨らませた状態にして、使用者１００が自身のモモ１０１の上に前記携帯枕を柱のように立てて、その上面に顔を載せて仮眠をとっている様子を描いたものである。【００１０】携帯枕の形状と素材について詳しく述べる。携帯枕１は、ポリビニルクロライドを母材としており、空気袋２が軸中心部分を空洞とするちくわ形状をしている。ちくわ形状の携帯枕の軸方向の長さは使用者の座高に合わせて決めることになる。日本人の高校３年生の男性の座高は９１ｃｍ程度であり、同じく女性の座高は８６ｃｍ程度である。顔の長さが男女ともに２３ｃｍ程度、モモの厚みが男性１６ｃｍ程度、女性１８ｃｍ程度ということを考えあわせて、モモの上に載せて顔を前に若干傾けて使う携帯枕の長さは男性用としては５５ｃｍ程度、女性用としては４８ｃｍ程度が適している。背の高い人、低い人を想定して４５ｃｍから５ｃｍ刻みで６０ｃｍまでの４種類を製造しておく。顔の傾け方の調整によって５ｃｍ刻みで製品を用意しておけば良いことは実験によって確かめてある。顔を傾けてちょうど鼻と口が軸中心部の空洞にはまるように、ちくわ形状の外周の直径は２０ｃｍ内周の直径は８ｃｍとした。顔を載せるドーナツ形状の枕上面３には肌触りがよいようにラッセル生地やパイルラミネートが貼りつけてある。その対向面となる枕下面４にもラッセル生地やパイルラミネートが貼りつけてあり、この携帯枕を載せたモモ上面が蒸れないように工夫されている。【００１１】  使用方法の詳細を説明する。使用者１００は自身の顔１０２を枕上面に載せる際に、その口と鼻が空洞となった部分にちょうど位置するように調整して顔を載せる。このようにすることで、鼻でも口でも自由に呼吸ができて快適に眠ることができる。顔を枕に押し付けているので寝顔を周囲の人に見られることもない。使用者１００の手１０３は携帯枕１の側面を軽く支えるようにしておくことで、携帯枕が傾かないようにする。【００１２】  実際の使用の場面としては、仕事場や自宅などで座ったままちょっと仮眠を取りたい場合や、電車、バス、飛行機などの移動体の中で仮眠を取りたい場合である。特にバスや飛行機などの座席のように同じ方向を向いた椅子が前後に並んでいる状況では、使用者１００が自身の体が左右に傾かないように寝るには苦労していたが、自身のモモの上面に載せたこの携帯枕に顔を載せることで上体の左右の傾きを防げて安眠がかなう。【００１３】  本発明の第２の実施例を図２に示す。本発明の携帯枕を使用者が座っている椅子の座部に立てて使用した例である。図１で示したのと同様の携帯枕を椅子２００の座部２０１に立ててモモ１０１で挟んで使う例である。【００１４】  図１の例がモモの上に載せて使うのに対して図２の例は座部の上に載せるのでモモの厚み分、すなわち１６ｃｍから１８ｃｍ程度、携帯枕が長いことが特徴である。長さは５ｃｍ程度の刻みで用意しておけば寝方で調整できることは実験で確認済みなので、背の高い人、低い人を想定して６０ｃｍから５ｃｍ刻みで７５ｃｍまでの４種類を製造しておく。【００１５】  本発明の第３の実施例を図を使わずに説明する。第２の実施例と同様に実施例であるが、空気袋２が３つの独立した空気袋で構成されている例である。串団子のように軸方向に縦に３つの独立した空気袋が連なっている。上面部を備える１番上の空気袋から下面方向の空気袋のそれぞれの長さは、３７．５ｃｍ、３２．５ｃｍ、２７．５ｃｍである。一番下の空気袋と真ん中の空気袋のみを膨らませると２７．５ｃｍと３２．５ｃｍを足した６０ｃｍの枕となり、一番下と一番上だけを膨らませると６５ｃｍの枕になり、真ん中と一番上だけを膨らませると７０ｃｍの枕になる。膨らませない枕の栓をしっかりと閉めておくことで膨らませない空気袋は無用に広がることはなく、形が崩れないことは実験で確認済みである。このよう１つの携帯枕が三種類の高さで使えるので、モモの上に載せて使ったり、座部に載せて使ったりといった使い分けができるし、座高の異なる友人に貸してあげることもできる。【００１６】  本発明の第４の実施例を図３及び図４を用いて説明する。飛行機や列車の座席に備え付けられている可動式肘当て２０２に本発明の空気枕１の中空軸を差し込んで睡眠枕として利用する例である。図３に描いているように、飛行機や列車の座席に備え付けられた可動式肘当ては２つの座席の背もたれの隙間部分に収納することができ、また、引き出して肘当てとして使用することができる。本発明では収納状態と肘当てとし使用している状態の中間の姿勢に可動式肘当てを置いて、携帯枕の中空軸を肘当てに差し込んで使用する。図４は使用状態を正面から描いたものである。１つの携帯枕に隣り合う二人が顔を載せている。【００１７】  本発明の第５の実施例を図５を用いて説明する。飛行機や列車の座席に備え付けられている折畳机２０３に本発明の空気枕１を載せて睡眠をとる使用方法の例である。【００１８】  本発明の第６の実施例を図６を用いて説明する。図５と同様に飛行機や列車の座席に備え付けられている折畳机２０３に本発明の空気枕１を載せて睡眠をとる使用方法の例である。この実施例では空気袋が３つ独立している。つまり、最上部空気袋５、中部空気袋６及び最下部空気袋７がそれぞれ独立して膨らますことができる空気袋となっている。図６の例では最下部空気袋を満杯つまり１００％膨らませて、中部空気袋は１０％程度に膨らませ、最上部空気袋は６０％程度に膨らませてある。このように最下部空気袋、中部空気袋、最上部空気袋をそれぞれ１００％、１０％、６０％膨らますことで高さを調整しているとともに、最上部空気袋が変形して顔１０２によくなじむようになっている。【００１９】
【産業上の利用可能性】
【００２０】  本発明の携帯枕は机に寄り掛かって寝ることができないまたはそのような寝方をしたくない場合に、椅子に座った状態で頭や上半身をぐらぐらとさせずに安眠したい場合に使用する携帯枕である。
【符号の説明】
【００２０】１  携帯枕
２  空気袋
３  枕上面
４  枕下面
５  最上部空気袋
６  中部空気袋
７  最下部空気袋
１００  使用者
１０１  モモ
１０２  顔
１０３  手
２００  椅子
２０１  座部
２０２  可動式肘当て
２０３  折畳机
【図１】
2015024108.tif 000003
【図２】
2015024108.tif 000004
【図３】
2015024108.tif 000005
【図４】
2015024108.tif 000006
【図５】
2015024108.tif 000007
【図６】
2015024108.tif 000008